(57)【特許請求の範囲】
【請求項１】
廻り階段の内コーナ部に上下方向に設けられる手摺り棒の下端部を廻り階段の踏板上に保持させた階段装置であって、支持ブラケットの前端部に手摺り棒の下端部を取付けると共に支持ブラケットの後端部に設けられた固定部を廻り階段の内側に形成されたコーナ壁の端部の出隅部の一面に当てると共に前記出隅部の他面に固定部の端部から突設された位置決め突部を当接して引掛けることで当該支持ブラケットの後端部をコーナ壁の端部に固定し、且つ前記支持ブラケットを踏板上に載設して、前記手摺り棒の下端と踏板の上面との間に隙間が形成されないように手摺り棒の下端部を支持ブラケットを介して踏板上に載設して成ることを特徴とする階段装置。
【発明の詳細な説明】
【技術分野】
【０００１】
本発明は、廻り階段のコーナ部に上下方向に手摺りを設けた階段装置に関するものである。
【背景技術】
【０００２】
階段の上り下りがスムーズにできるように階段に沿って手摺りを階段内壁に取付けることが従来から一般的に行われている。
【０００３】
また、廻り階段においてコーナ部も含めて手摺りを連続して取付けるものが特許文献１等により知られている。
【０００４】
上記特許文献１に示されるものは廻り階段のコーナ部よりも上側に位置する傾斜した手摺り棒と、下側に位置する傾斜した手摺り棒とをコーナ手摺り棒で連続させたものである。
【０００５】
ところで、階段の上り下りに当たって、廻り階段のコーナ部分はコーナを中心に複数段の踏板を上り下りして方向転換をする箇所であり、また、内側のコーナ部分付近においては踏板の鋭角となった角部が位置するため足で踏む面積が狭く、上り下りがし難くい箇所である。
【０００６】
このように、廻り階段のコーナ部分ではコーナ部分の手摺りに掴まって手摺りを中心にして廻りながら（方向転換しながら）複数段の踏板の角部を上り下りする必要がある。
【０００７】
しかしながら、上記特許文献１に示される従来例においては、コーナ手摺りにおけるコーナ部を手で掴んで、該掴んだ部分を中心に複数段の踏板を上り下りして方向転換しようとすると、コーナ手摺りにおけるコーナ部のレベルが一定であるため、手で掴んだ位置が変らないのに複数段の踏板を上り下りしながら方向転換するため身体の位置は上下方向に大きく変化し、このため、きわめて不自然且つ不安定な姿勢でコーナにおける上り下りをしなければならない。また、子供や大人といった身長の違いにも対応できない。
【０００８】
そこで、本発明者は本発明に至る過程で、廻り階段のコーナ部に上下方向に手摺り棒を設けることを考えた。
【０００９】
これだと、廻り階段のコーナ部の設けた手摺り棒を手で掴んで複数段の踏板を上り下りしながら方向転換する際、手で掴む平面視の位置、つまり、コーナ部における方向転換するための中心となる位置は変らないが、複数段の踏板を上り下りするのに応じて手摺り棒を掴む位置を上下方向にずらしながらスムーズに方向転換することができる。
【００１０】
しかしながら、上記のように廻り階段のコーナ部に上下方向に手摺り棒を設ける場合、手摺り棒の下端に衣服や足が引っ掛かるという問題があることが判明した。
【００１１】
特に、手摺り棒の下端と踏板との間に隙間があると、この隙間に足先を挟むおそれがあり、スムーズな上り下りができない。
【特許文献１】特開２０００−２５７２３２号公報
【発明の開示】
【発明が解決しようとする課題】
【００１２】
本発明は上記の従来の問題点に鑑みて発明したものであって、背丈の異なる人が、廻り階段のコーナ部を手摺り棒を手で掴んでスムーズに上り下りでき、手摺り棒の下端に衣服や足が引っ掛かったり、手摺り棒の下端と踏板の上面との間に足先が挟まったりせず安全な階段装置を提供することを課題とするものである。
【課題を解決するための手段】
【００１３】
上記課題を解決するために本発明に係る階段装置は、廻り階段１の内コーナ部に上下方向に設けられる手摺り棒２の下端部を廻り階段１の踏板３上に保持させた階段装置であって、支持ブラケット４の前端部に手摺り棒２の下端部を取付けると共に支持ブラケット４の後端部に設けられた固定部８を廻り階段１の内側に形成されたコーナ壁５の端部の出隅部の一面に当てると共に前記出隅部の他面に固定部８の端部から突設された位置決め突部９を当接して引掛けることで当該支持ブラケット４の後端部をコーナ壁５の端部に固定し、且つ前記支持ブラケット４を踏板３上に載設して、前記手摺り棒２の下端と踏板３の上面との間に隙間が形成されないように手摺り棒２の下端部を支持ブラケット４を介して踏板３上に載設して成ることを特徴とするものである。
【００１４】
このような構成とすることで、廻り階段１のコーナ部を上下しながら方向転換するに当たって、廻り階段１のコーナ部に上下方向に設けた手摺り棒２を手で掴んで、該手摺り棒２を中心にしながら廻り階段のコーナ部の複数の踏板３を上り下りして方向転換する際、手摺り棒２の握る位置を上下方向にずらしつつ、踏板３を上り下りして方向転換でき、コーナ部分をスムーズに且つ安定して上り下りして方向転換ができると共に、背丈が違う人であっても同様にコーナ部を上り下りしながらスムーズに安定して方向転換ができる。また、手摺り棒２の下端部を廻り階段１の踏板３上に保持させてあるので、衣服や足が手摺り棒２の下端に引っ掛かったり、手摺り棒２の下端と踏板３の上面との間に足先が挟まったりせず、安全にコーナ部を上り下りしながら方向転換ができる。また前端部に手摺り棒２の下端部を取付ける支持ブラケット４の後端部を廻り階段１のコーナ壁５の端部に固定すると共に該支持ブラケット４を踏板３上に載設するので、廻り階段１の内コーナ部に上下方向に手摺り棒２を確実に取付けることができると共に、手摺り棒２に掛かる荷重をコーナ壁５と踏板３とにより支持できる。
【発明の効果】
【００１９】
本発明は、廻り階段のコーナ部に上下方向に設けた手摺り棒を手で掴んで、手摺り棒を中心にしながら廻り階段のコーナ部の複数の踏板を上り下りして方向転換する際、手摺り棒の握る位置を上下方向にずらしつつ、踏板を上り下りして方向転換でき、コーナ部分をスムーズに且つ安定して上り下りして方向転換ができ、また、背丈が違う人であっても同様にコーナ部を上り下りしながらスムーズに安定して方向転換ができ、更に、手摺り棒の下端部を廻り階段の踏板上に保持させてあるので、衣服や足が手摺り棒の下端に引っ掛かったり、手摺り棒の下端と踏板の上面との間に足先が挟まったりせず、安全にコーナ部を上り下りしながら方向転換ができる。また廻り階段の内コーナ部に上下方向に手摺り棒を確実に取付けることができると共に、手摺り棒に掛かる荷重をコーナ壁と踏板とにより支持できる。
【発明を実施するための最良の形態】
【００２０】
以下、本発明を添付図面に示す実施形態に基いて説明する。
【００２１】
図１乃至図４には本発明の一実施形態が示してあり、図５乃至図８には他の実施形態が示してある。これら添付図面に示す実施形態では廻り階段１としてＵ字状に折り返す廻り階段の例が示してある。この廻り階段１内部には仕切り壁７が設けてあり、該仕切り壁７の端部の廻り階段１の内コーナ部分に相当する部位がコーナ壁５となっている。
【００２２】
廻り階段１のコーナ部（内コーナ部）には縦長の手摺り棒２が上下方向に取付けてある。
【００２３】
図１乃至図４に示す実施形態では、手摺り棒２の上下両端部に支持ブラケット４の前端部を取付け、該上下の支持ブラケット４の各後端部をコーナ壁５の端部にそれぞれ取付けることで、手摺り棒２を廻り階段１のコーナ部に上下方向に取付ける。なお、添付図面に示す実施形態では手摺り棒２の上端部の支持ブラケット４によるコーナ壁５への取付け部分の図示は省略している。
【００２４】
ここで、手摺り棒２の下端部は廻り階段１のコーナ部において踏板３上に載設保持されるものであり、図１乃至図４に示す実施形態においては手摺り棒２の下端部を取付けて支持している下の支持ブラケット４を踏板３の上面のコーナ壁５側の隅部に載設することで、支持ブラケット４を介して手摺り棒２の下端部を踏板３上に載設している。このように支持ブラケット４を介して手摺り棒２の下端部を踏板３上に載設することで、手摺り棒２の下端と踏板３の上面との間に隙間ができて手摺り棒２の下端に衣服や足先部分が引っ掛かったり、手摺り棒２の下端と踏板３の上面と間に足先が挟まったりしないようになっている。また、本実施形態のように支持ブラケット４を踏板３に載設すると、コーナ壁５から突出する下の支持ブラケット４と踏板３上面との間に隙間ができず、支持ブラケット４と踏板３との間の隙間に足先部が挟まったりするのを防止できる。
【００２５】
もちろん、手摺り棒２の下端部を支持ブラケット４でコーナ壁５に取付けるものにおいて、手摺り棒２の下端を直接踏板３に載設してもよく、また、手摺り棒２の端部に端部キャップを被嵌し、この端部キャップを踏板３上に載設することで端部キャップを介して手摺り棒２を踏板３上に載設してもよい（手摺り棒２の端部に端部キャップを被嵌する場合、端部キャップ部分を支持ブラケット４に取付けてもよい）。この場合も、踏板３の上面と支持ブラケット４との間の隙間に足先部を挟み込まないようにコーナ壁５から突出する下の支持ブラケット４を踏板３に載設するのが好ましい。
【００２６】
支持ブラケット４は例えば図４に示すように後端部の固定部８の一端部から位置決め突部９を突設すると共に前端部に手摺り棒取付け部１０を設けたもので、廻り階段１の内部の内コーナ部であるコーナ壁５の端部の出隅部に支持ブラケット４の固定部８をビスのような固着具により固着する。この場合、踏板３の上面に支持ブラケット４を載せた状態で、コーナ壁５の出隅部を介して隣接する２面のうち一面に固定部８を当てると共に他面に位置決め突部９を当接して引掛けることで支持ブラケット４をコーナ壁５の出隅部に位置決めし、この状態で固着具によりコーナ壁５に固着するものである。このように支持ブラケット４を位置決めしてコーナ壁５に固着することで、支持ブラケット４をコーナ壁５の出隅部から所定の方向に突出させてコーナ部に位置する複数の踏板３のうち目的とする踏板３の上面の所定位置に正確に載置するように取付けることができる。
【００２７】
図５乃至図８には参考例が示してある。本参考例では、手摺り棒２の下端部を踏板３上に設けた保持部６で保持するようにしている。すなわち本参考例では、廻り階段１のコーナ部に位置する複数の踏板３のうち任意の踏板３のコーナ壁５側の端部付近に固定用穴を設けて保持部６が構成してあり、縦長の手摺り棒２の下端部を該保持部６を構成する固定用穴に嵌め込み固定することで、手摺り棒２の下端部を廻り階段１の踏板３上に保持させている。この参考例において手摺り棒２の上端部は図示を省略しているが、前述の実施形態と同様に支持ブラケット４によりコーナ壁５に固定したり、あるいは、廻り階段１の天井部に固定したりする。本参考例では手摺り棒２の下端部に衣服や足先部が引っ掛かったり、挟まったりせず、また、手摺り棒２の下端部をコーナ壁５に取付けるための下の支持ブラケットが存在しないので、踏板３の上面と下の支持ブラケットの間の隙間に足先部を挟んだり、あるいは足先部が下の支持ブラケットに引っ掛かったりしない。
【００２８】
上記例では踏板３に固定用穴を設けて保持部６を構成したが、踏板３に上方に向けて嵌め込み穴を有する受け具を固定して該受け具の嵌め込み孔に手摺り棒２の下端部を嵌め込み固定してもよい。
【００２９】
上記実施形態及び参考例のいずれにおいても、廻り階段１のコーナ部に上下方向に設けられる手摺り棒２の下端部を廻り階段１の踏板３上に保持させる構成となっているので、廻り階段１のコーナ部を上下しながら方向転換するに当たって、廻り階段１のコーナ部に上下方向に設けた手摺り棒２を手で掴んで、該手摺り棒２を中心にしながら廻り階段のコーナ部の複数の踏板３を上り下りして方向転換することができる。この際、手摺り棒２を握った手の位置を上下方向にずらしつつ、踏板３を上り下りして方向転換でき、コーナ部分をスムーズに且つ安定して上り下りして方向転換ができると共に、背丈が違う人であっても同様にコーナ部を上り下りしながらスムーズに安定して方向転換ができることになる。
【００３０】
なお、添付図面に示す実施形態及び参考例では廻り階段１としてＵ字状に折り返す廻り階段の例が示してあるが、９０°に曲る廻り階段１であってもよい。
【図面の簡単な説明】
【００３１】
【図１】本発明の一実施形態の平面図である。
【図２】図１のＡ方向から見た概略図である。
【図３】図１のＢ方向から見た概略図である。
【図４】同上の要部斜視図である。
【図５】参考例の平面図である。
【図６】図５のＡ方向から見た概略図である。
【図７】図５のＢ方向から見た概略図である。
【図８】同上の要部斜視図である。
【符号の説明】
【００３２】
１  廻り階段
２  手摺り棒
３  踏板
４  支持ブラケット
５  コーナ壁
６  保持部
【図１】
0004631638.tif 000002
【図２】
0004631638.tif 000003
【図３】
0004631638.tif 000004
【図４】
0004631638.tif 000005
【図５】
0004631638.tif 000006
【図６】
0004631638.tif 000007
【図７】
0004631638.tif 000008
【図８】
0004631638.tif 000009